(57)【要約】【課題】  骨折予防パッドに衝撃吸収機能と体型補整機能とを併有させることにより、骨折予防と共にヒップの形を整え、不快感なく着用可能にすること。【解決手段】  一定の厚さを有するシート状の弾性材料で形成され着用時に大腿骨大転子位置に対応するように配置された衝撃吸収部材と、該衝撃吸収部材を内包し、着用時の臀部側面へ延在する体型補整部材とを備える。衝撃吸収部材は、六角形以上の多角形、円形、もしくは楕円形であって、大転子位置を含む一定範囲を残して複数の放射状のスリットを有しており、前記衝撃吸収部材を包含する前記体型補整部材は内向きに湾曲させて一体成型される。【選択図】      図１
2015223230.tif 000002
【特許請求の範囲】
【請求項１】
一定の厚さを有するシート状の弾性材料で形成され着用時に大腿骨大転子位置に対応するように配置された衝撃吸収部材と、該衝撃吸収部材を内包し、着用時の臀部側面へ延在する体型補整部材とを備えたことを特徴とする骨折予防パッド。
【請求項２】
前記衝撃吸収部材は、六角形以上の多角形、円形、もしくは楕円形であって、大転子位置を含む一定範囲を残して複数の放射状のスリットを有しており、前記衝撃吸収部材を包含する前記体型補整部材は、内向きに湾曲させて一体成型されていることを特徴とする請求項１に記載の骨折予防パッド。
【請求項３】
請求項１又は２の骨折予防パッドを有する衣類であって、前記骨折予防パッドの内向きに湾曲した面が人体側に向けて装着されていることを特徴とする骨折予防衣類。
【請求項４】
骨折予防衣類は、臀部と股を覆う本体部と、前記本体部上辺に沿って縫着された伸縮性を有するストレッチ帯とを備え、前記ストレッチ帯は、腹部においてクロスして前記本体部に縫着されていることを特徴とする請求項３に記載の骨折予防衣類
【請求項５】
前記本体部は、前記骨折予防パッドが装着されている範囲内において前記ストレッチ帯の延長方向に縫目を有していることを特徴とする請求項４に記載の骨折予防衣類。
【発明の詳細な説明】
【技術分野】
【０００１】
本発明は、高齢者等が転倒したときの骨折を予防するための骨折予防パッドと骨折予防衣類に係り、特に体型補整機能を兼ね備えた骨折予防パッド及びこれを装着した骨折予防衣類に関する。
【背景技術】
【０００２】
従来、高齢者の転倒による大腿骨大転子付近の骨折を予防するためのパッドやそのパッドを装着した衣類に関する技術が提案されている。
【０００３】
例えば、特許文献１は、衝撃吸収部材の素材やパッドの大きさを改良して衝撃力を緩和するようにしている。特許文献２は、衝撃吸収部材をドーム状に湾曲させて、衝撃力を周辺に拡散させて、大腿骨大転子への衝撃を緩和している。また特許文献３は、大腿骨大転子位置を含む一定範囲に円形あるいは所定形状の貫通孔あるいは凹部を設けて、転倒時の衝撃が直接大転子に加わらないようにしている。
【先行技術文献】
【特許文献】
【０００４】
【特許文献１】特開平９−２６８４０９号公報
【特許文献２】特表平９−５０８８２４号公報
【特許文献３】国際公開第２０１２／０２９９１７号パンフレット
【発明の概要】
【発明が解決しようとする課題】
【０００５】
上述の従来技術は、骨折予防パッドの形状や材質を改良してパッドの厚さを薄くすることによって着用時の外観の悪化を緩和している。しかしながら、骨折予防パッドを薄くするにしても限界があるため、多少なりとも厚みを有すると腰部両側面のみが膨出することになり、またフィット感が無いと特に女性高齢者は着用に抵抗を感じるものである。
【０００６】
本発明はかかる従来の事情に対処してなされたものであり、骨折予防パッドに衝撃吸収機能と体型補整機能を併有させることにより、骨折予防と共にヒップの形を整え、着用時のフィット感に優れた骨折予防パッド及びこれを装着した骨折予防衣類を提供することを目的とする。
【課題を解決するための手段】
【０００７】
上記課題を解決するため、本発明に係る骨折予防パッドは、一定の厚さを有するシート状の弾性材料で形成され着用時に大腿骨大転子位置に対応するように配置された衝撃吸収部材と、該衝撃吸収部材を内包し、着用時の臀部側面へ延在する体型補整部材とを備えたことを特徴とする。
【０００８】
これにより大転子位置に骨折予防パッドを装着したときの体型の崩れ、特に腰部の横の広がりに比べ臀部のボリュームが相対的に小さくなることによる体型の美的低下を防ぐことができる。なお、臀部側面は衝撃吸収部材を配設せず体型補整部材のみで形成するのが好ましい。
【０００９】
また、本発明に係る骨折予防パッドの衝撃吸収部材は、六角形以上の多角形、円形、もしくは楕円形であって、大転子位置を含む一定範囲を残して複数の放射状のスリットを有しており、前記衝撃吸収部材を包含する前記体型補整部材は内向きに湾曲させて一体成型されていることを特徴とする。また、上記の骨折予防パッドを装着した骨折予防衣類は、内向きに湾曲した面を人体側に向けて装着する。骨折予防パッドは衣類に直接縫着しても良いが、ポケットを設けて、当該ポケットに挿入するようにしても良い。
骨折予防パッドの外形はドーム形状を基本とし、着用者のニーズに合わせた形状にすることができる。また大転子位置は、貫通穴あるいは凹みを持たせても良い。
【００１０】
これにより、大転子位置のみが膨出せず、さらに衝撃を分散させる効果を奏することができる。また衝撃吸収部材と体型補整部材の湾曲度合いが略均等になるので、衝撃吸収部材の人体側に位置する体型補整部材による緩衝効果と相まって違和感なく装着をすることができる。
【００１１】
また本発明に係る骨折予防衣類は、臀部と股を覆う本体部と、前記本体部上辺に沿って縫着された伸縮性を有するストレッチ帯とを備え、前記ストレッチ帯は、腹部においてクロスして前記本体部に縫着され、前記本体部は、前記骨折予防パッドが装着されている範囲において前記ストレッチ帯の延長方向に縫目を有していることを特徴とする。縫目を施す代わりに緊締力を有する素材を縫着あるいは接着するようにしても良い。
【００１２】
本発明では、大腿骨大転子付近の骨折を予防できるのみでなく、ストレッチ帯によるわき腹と下腹の膨出を抑える体型補整効果と、骨折予防パッドの臀部側の体型補整部材による美尻効果とを同時に得ることができる。これにより高齢者に対して骨折予防パッドの着用を促すことができ、高齢者を骨折から守ることで結果的に介護者の負担を軽減することができる。またストレッチ帯のクロス構造により着脱時に胴回りが容易に広がるため、着脱が楽にできるようになる。さらにストレッチ帯の延長方向に縫目が骨折予防パッドの人体への密着度を上げるため、より快適に骨折予防衣類を着用することができる。
【発明の効果】
【００１３】
以上の如く本発明によれば、骨折予防パッドに衝撃吸収部材を内包し着用時の臀部側面へ延在する体型補整部材を備えるので、腰部の横の広がりに比べ臀部のボリュームが相対的に小さくなることによる外観の悪化を防ぐことができ、また着用時のフィット感を得ることができる。これにより、着用への抵抗感や着用時の不快感を低減させることが可能になる。
【００１４】
また、骨折予防パッドの衝撃吸収部材に大転子位置を含む一定範囲を残して複数の放射状のスリットを設けることにより体型補整部材との湾曲一体成型を可能にし、これにより転倒時の衝撃を分散させることができ、また装着時の違和感を低減させることができる。
【００１５】
さらに、骨折予防衣類にクロス構造のストレッチ帯を用いることにより、わき腹から下腹にかけての膨出を抑えることができ、さらに装着された骨折予防パッドを覆う衣類本体部上に縫目を施すことにより骨折予防パッドの密着感を上げることができる。
【図面の簡単な説明】
【００１６】
【図１】本発明の実施の形態による骨折予防パッドの形状を示す図であり、図１（ａ）は平面図、図１（ｂ）は正面図、図１（ｃ）は右側面図である。
【図２】図１の衝撃吸収部材の形状を示す図であり、図２（ａ）は平面図、図２（ｂ）は正面図、図２（ｃ）は右側面図である。
【図３】本発明の第１の実施の形態による骨折予防衣類の正面図である。
【図４】本発明の第１の実施の形態による骨折予防衣類の背面図である。
【図５】本発明の第１の実施の形態による骨折予防衣類の左側面図である。
【図６】本発明の第２の実施の形態による骨折予防衣類の斜視図である。
【図７】図６の正面図である。
【図８】図６の背面図である。
【図９】図６の左側面図である。
【図１０】図６のストレッチ帯の引張力の方向・作用の説明図である。
【図１１】他の実施例による骨折予防パッド（右側装着用）の外形を示すであり、図１１（ａ）は平面図、図１１（ｂ）は正面図、図１１（ｃ）は底面図、図１１（ｄ）は左側面図、図１１（ｅ）は右側面図である。
【図１２】図１１に示す骨折予防パッドの断面図であり、図１２（ａ）は図１２（ｂ）のＡ−Ａ断面図、図１２（ｃ）は図１２（ｂ）のＣ−Ｃ断面図、図１２（ｄ）は図１２（ｂ）のＢ−Ｂ断面図である。
【発明を実施するための形態】
【００１７】
以下に本発明の第１の実施の形態を図面を参照しながら説明する。
図１は、本実施の形態による骨折予防パッド（以下、単に「パッド」という。）１であり、着用者の右側装着用の骨折予防パッド１ａの平面図，正面図，側面図を示している。左側装着用のパッド１ｂは、パッド１ａとは対称になる。このパッド１ａ，１ｂは、内部に破線で示す衝撃吸収部材１１を含み外部を体型補整部材１２（１２ａ，１２ｂ）で覆って形成されている。体型補整部材１２としてはウレタンフォーム（発泡ウレタン），不織布やニットの混合，或いはフュージョン（登録商標）などの柔らかい素材を用いることができる。前記衝撃吸収部材１１は例えば、数ｍｍ〜１０ｍｍ程度の厚さを有するポリエチレン，スチレン系エラストマー，合成ゴム，或いはゲル材料などを用いて形成することができる。ただし、素材はこれに限らず、特許文献１〜３に記載されている技術、その他既存の技術を用いることができる。
【００１８】
衝撃吸収部材１１は大転子位置付近（Ｂ）に配置され、体型補整部材１２は例えば臀部の補整の程度など、着用者に合った形や厚さのものが用いられる。体型補整部材１２の人体側（Ｃ）は内側へ多少湾曲させるのが好ましい。これにより、体型補整部材１２を通して大腿骨大転子が直に衝撃吸収部材に触れるのに比べ、衝撃力を分散でき、その結果パッドの厚さを薄くすることができる。
【００１９】
本実施の形態による衝撃吸収部材１１は、図２に示すように、中心から頂点までが約６０ｍｍの略正六角形の平板形状をなし、中心から約３５ｍｍ離れた位置から外周に向かって幅３ｍｍ〜７ｍｍ程度の範囲でスリット１１ａが放射状に設けられている。スリット１１ａの存在しない中心範囲１１ｂは着用者の大腿骨大転子が位置する範囲である。衝撃吸収部材１１には、また湿気を通すために直径５ｍｍ程度の複数の孔１１ｃが形成されている。
【００２０】
この衝撃吸収部材１１の形状は、これに限らず、六角形以上の多角形、同程度の面積を有する円または楕円でも良い。また、着用者に合わせてサイズを適宜変更することができる。なお、衝撃吸収部材１１の中心範囲には、さらに特許文献３に記載されているような凹部（図示せず）を設けるようにしても良い。この衝撃吸収部材１１の形状が多角形の場合は各頂点に対応する位置にスリット１１ａを配置し、この衝撃吸収部材１１の形状が円形または楕円形の場合は一定の間隔でスリット１１ａを設けるのが良い。スリット１１ａの数は４つ以上が好ましい。
【００２１】
体型補整部材１２の外形は図１の実線で示している。この体型補整部材１２は着用者の右側大転子の骨折予防パッドとして用いられる。体型補整部材１２に内包される衝撃吸収部材１１は破線で示している。図１（ａ）においてＢの位置が着用時の大転子位置を示していて、着用者の右腰付近に当てられる。上記の如く、この体型補整部材１２は、衝撃吸収部材１１を内包し、大腿骨大転子位置を含む一定範囲から臀部側面にかけて延在している。また、この体型補整部材１２は臀部側に延伸するに従い、徐々に細くなっている。体型補整部材１２のサイズは、短手方向は、１３０ｍｍ〜１５０ｍｍ程度、長手方向は、２１０ｍｍ〜２２０ｍｍ程度を基準に着用者の体型に合わせて適宜変更して形成することができる。
【００２２】
骨折予防パッド１は、９ｍｍ程度の厚さを有する下側体型補整部材１２ｂと１２ｍｍ程度の厚さを有する上側体型補整部材１２ａで衝撃吸収部材１１を挟み熱圧で接着後、縫製する。そして図１に示すような湾曲した形態が形成される。下側体型補整部材１２ｂは着用時に人体側に位置する。体型補整部材１２の湾曲の程度は、大体、上面の高さが最大３０ｍｍ程度、底面の高さが最大９ｍｍ程度で、内包する衝撃吸収部材１１も熱圧下において一体で湾曲させるのが好ましい。要は湾曲度合いが衝撃吸収部材１１と体型補整部材１２で同じ程度にすることにより、フィット感を得ることができる。
【００２３】
本実施の形態による骨折予防パッド１では、衝撃吸収部材１１を体型補整部材１２で包むことによって、内側（人体側）に湾曲させている。これにより、転倒時の最初の衝撃が大腿骨大転子を避けた周辺範囲から加わるようになる。これにより、大腿骨大転子への衝撃を吸収するのみでなく、その形状が大腿骨大転子への衝撃を周辺へ分散する機能を果たす。
【００２４】
また、大転子を含む大腿骨周辺の衝撃吸収部材１１を体型補整部材１２で包み、さらに体型補整部材１２を臀部側面へ延伸させているので、体型補整部材１２の底部全体が着用者に密着し、臀部側も含め同じ触感が広がるので、着用者はフィット感を得ることができ、快適に着用することができる。
【００２５】
次に、骨折予防パッドを装着した衣類（骨折予防衣類）４０について説明する。
図３〜図５は、衣類本体４０ａの内側にポケット４１ａ，４１ｂを設け、当該ポケット４１ａ，４１ｂにパッド１ａ，１ｂを挿入した状態を示している。
【００２６】
従来はたとえば特許文献２に記載されているように腰から大腿部にかけてその形状に合わせて、楕円平板あるいは短手方向に湾曲させて安定を図っている。これに対して、本実施の形態による体型補整部材は全体に丸みを持たせている一方、一部のみ角１３を設け、ポケット内側にこの角が納まるようにしている。これにより、衣服のポケット４１ａ，４１ｂにパッド１（１ａ，１ｂ）を着用したときにずれを防止することができ、従来の楕円形状を単に横向きにした場合と比べてパッド位置の安定化を図ることができる。
【００２７】
勿論、パッド１ａ，１ｂを衣類４０に縫着しても良いが、衣類４０に設けたポケット４１ａ，４１ｂに挿入することにより、衣類に縫着する必要がなく、また体型の変化によってパッド１ａ，１ｂを適宜取り替えることも可能になる。
【００２８】
このようにパッドの腰部側の一部に角を設けて全体のずれを予防しているので、臀部側は丸みをもって形成することができ、衣類の適度な締緊力と共に体型補整部材がフィット感を与えることができる。
【００２９】
骨折予防パッドの衝撃吸収部材が大転子を保護すると共に、パッドの体型補整部材が臀部側面にかけて延在している。この衝撃吸収部材は衝撃力が分散するように内側に湾曲して形成されているため、薄く生成することができるので腰部のボリュームを抑えることができる。また、臀部側は着用者に合った適度なボリュームのものを使用することにより、腰から臀部にかけて体型を補整しつつ骨折予防を図ることができる。
【００３０】
以上、本実施の形態によれば、骨折予防パッド１は衝撃吸収部材１１を内包し着用時の臀部側面へ延在する体型補整部材１２を備えるので、腰部の横の広がりに比べ臀部のボリュームが相対的に小さくなることによる外観の悪化を防ぐことができる。
【００３１】
特に高齢者は、ヒップの大部分を占める大殿筋が加齢や運動不足によって衰える。筋肉が減ると、そこに代わって皮下脂肪が付いてきて、それが重力によって垂れ下がる。その結果、ヒップの両側面がそげて脂肪が内側に流れるという体型変化を生じる。本実施の形態による骨折予防パッドによれば、大腿骨大転子付近の骨折予防のための腰側面の膨出を内側湾曲形成により低減すると共に、腰部と一体となった体型補整部材によって、腰部からヒップにかけて滑らかに形状を補整するので、全体として自然な美尻効果を得ることができ、また着用時のフィット感を得ることができる。これにより、着用への抵抗感や着用時の不快感を低減させることが可能になる。
【００３２】
また、骨折予防パッドの衝撃吸収部材に大転子位置を含む一定範囲を残して複数の放射状のスリットを設けることにより体型補整部材との湾曲一体成型を可能にし、これにより転倒時の衝撃を分散させることができ、また装着時の違和感を低減させることができる。
【００３３】
次に本発明の第２の実施の形態による骨折予防衣類について図面を参照しながら説明する。なお、本実施の形態による骨折予防衣類は、第１の実施の形態の骨折予防パッドを用いる。骨折予防パッドについては説明を割愛する。
【００３４】
図６は、本発明の一実施形態に係る骨折予防衣類５０を示した斜視図である。図７〜図９は、それぞれ図６に示した骨折予防衣類の正面図、背面図、及び左側面図である。右側面図は左側面図と対象に表わされる。図６〜図９においては、着用状態における形状を示している。この骨折予防衣類５０は、例えば女性が着用する下着として実現することができる。
【００３５】
本実施の形態による骨折予防衣類５０は、着用者の臀部から股にわたって密着する本体部３０と、本体部３０の上辺および腹部側で縫着された伸縮性を有するストレッチ帯２０とを備えている。図６において編みがけで示した部分がストレッチ帯２０であり、網がけをしていない部分が本体部３０である。図７〜図９については、ストレッチ帯２０の網がけは省略している。
【００３６】
本実施の形態による骨折予防衣類５０は、ウエスト部２３ａ，２３ｂから延在するストレッチ帯２０を腹部２２側でクロスして本体部３０と縫着されていることを特徴としている。
【００３７】
骨折予防衣類５０の本体部３０は、綿あるいは絹を主体とした生地を用いることができ、ストレッチ帯２０は伸縮性を有する素材、たとえば綿メッシュ生地を用いることができる。
【００３８】
図８に示すように、本体部３０の左右は、臀部を覆う部分が背中側の中央を通る縫着ラインＬによって互いに縫着されている。また、図６，図７に示すように本体部３０はその下側に股を覆う股部４２を備えている。
【００３９】
図７，図８において、着用者の向きに合わせて上下左右を定義すると、ストレッチ帯２０は、右端２１ａから順に腹部２２ａ、右ウエスト部２３ａ、背部２４、左ウエスト部２３ｂ、腹部２２ｂ、左端２１ｂを有しており、本体部の上辺Ｌ１に沿って縫着され、正面において腹部２２ａ，２２ｂがクロスしている（以下、これを「クロス構造」という。）。即ち、右ウエスト部２３ａから腹部２２ａを通って繋がるストレッチ帯右端２１ａは、縫着ラインＬ１ａ（縫着ラインＬ１の一部）によって本体部３０の左端１０ｂに縫着されており、左ウエスト部２３ｂから腹部２２ｂを通って繋がるストレッチ帯左端２１ｂは、縫着ラインＬ１ｂ（縫着ラインＬ１の一部）によって本体部３０の右端１０ａに縫着されている。なお、図６，図７においてストレッチ帯２０の腹部２２ａと右端２１ａは、腹部２２ｂ，左端２１ｂの内側に重なった状態になっている。
【００４０】
また、ストレッチ帯２０のウエスト部２３ａ，２３ｂは、着用者のウエストに密着するように、若干内側傾斜をもって本体部３０に縫着されている。ストレッチ帯２０は着用時に骨盤の上端、腸骨稜上を通る高さにすると固定感が得られるので好ましい。
【００４１】
図示するように、このようにストレッチ帯のウエスト部２３ａ，２３ｂの高さ位置は、それぞれストレッチ帯の右端２１ａ，左端２１ｂの頂点２５ａ，２５ｂの位置よりも高くなっているので、ストレッチ帯２０のクロス（重なり）部分の頂点Ａ近傍は緩やかなＶ字を形成する（以下、これを「Ｖ字構造」という。）。なお、頂点Ａは着用者の臍付近に来るようにウエスト部２３ａ、２３ｂから角度を決めるのが好ましいが、この角度は着用者の好みにより例えば臍が隠れるくらいにするなど必要により変更してもよい。
【００４２】
ちなみに、クロス部分２２ａ，２２ｂの重なりラインＬ３ａ，Ｌ３ｂは縫着されていない。このため、ストレッチ帯２０は、図１０に示すように右端２１ａから右ウエスト部２３ａの方向に引張力Ｆａ、また左端２１ｂから左ウエスト部２３ｂの方向に引張力Ｆｂが効果的に発生する。また、逆に右ウエスト部２３ａから右端２１ａの方向に引張力Ｆａ’、左ウエスト部２３ｂから左端２１ｂの方向に引張力Ｆｂ’が発生する。
【００４３】
すなわち、本発明の特徴のであるストレッチ帯２０の腹部のＶ字クロス構造による斜めの引張力Ｆａ，Ｆｂとこれに対抗する引張力Ｆａ’，Ｆｂ’が、わき腹から下腹にかけての緊締力を生み、体型補整効果を奏するのである。
【００４４】
ストレッチ帯２０の着圧として、例えば腹部クロス部分２２は６〜７ｈＰａ，腸骨稜点８０ａ，８０ｂは１２ｈＰａ程度を標準にして着用者に合わせて調整されるのが好ましい。
【００４５】
また、本体部３０は両側面の内側（人体側）に骨折予防パッド１を装着できるポケット３１ａ，３１ｂを備えている。本実施の形態の骨折予防パッド１ａ，１ｂは、着用時に大腿骨大転子から臀部側面まで覆うようになっていてポケット３１ａ，３１ｂもその形状に合わせて衣類裏側で縫合されている。骨折予防パッド１ａ，１ｂは、それぞれポケット口３２ａ，３２ｂからポケット３１ａ，３１ｂに挿入される。
【００４６】
本体部３０は、ストレッチ帯２０の延長方向、大転子位置から臀部側面にかけてその表面にライン状の縫目３３ａ，３３ｂが施されている。即ち、骨折予防パッド１ａ，１ｂを挿入したときにこのパッド上にこの縫目３３ａ，３３ｂが来るようになっている。これにより、図１０に示す引張力Ｆａ，Ｆｂがそれぞれ縫目３３ａ，３３ｂに伝わり、その結果、本体部３０の大転子位置から臀部側面にかけての緊締力が上がり、本衣類着用時のパッド１の密着力を高めることができる。特に本体部３０にある程度伸縮性のある生地を用いた場合、引張力Ｆａ，Ｆｂがこのライン状の縫目に集中するためその効果は大きくなる。なお、縫目３３ａ，３３ｂはパッドの長手方向臀部上の途中まで延在している。すなわち、縫目３３ａ，３３ｂはパッド１の長手方向全域に対しては施されていない。これにより、パッド１の臀部側が緊締力により収縮することを抑制し、豊かなヒップ形状を形成することができる。なお、縫目３３ａ，３３ｂはパッド１の長手方向の全域に施しても引張力Ｆａ，Ｆｂはストレッチ帯から遠ざかるにしたがって減衰するので、パッド１の臀部側の緊締力による収縮はある程度は抑制されることになる。
【００４７】
縫目３３ａ，３３ｂは各一本に限らず、パッド１上複数本設けても良いし、縫目を施す代わりに、別の低伸縮性素材を縫着あるいは接着するなど他の緊締力を高める手段を用いるようにしても良い。これにより、パッド１、特に衝撃吸収部材１１の密着度が向上すると共に、わき腹から下腹部の適度な圧迫による体型補整機能と、パッド１による臀部の体型補整機能が組み合わされ、体型補整効果を向上させることができる。
【００４８】
次に、本実施の形態による骨折予防衣類５０の着脱時の作用について説明する。
骨折予防衣類５０の着衣時は、ユーザはストレッチ帯２０の間口（胴回り）を広げて穿き、当該衣類５０のウエスト部２３ａ，２３ｂあるいは背部２４を上方に持ち上げることによって間口が狭まり身体にフィットした状態で着用することができる。
【００４９】
ストレッチ帯２０は、本体部３０よりも高い伸縮性を有しているので、着用時の収縮力の作用により、上述したように着用者はわき腹から下腹にかけて緊締感を得ることができる。特に、着用した状態で背筋を伸ばすようにすることで、わき腹から下腹にかけての緊締力をより高めることができる。
【００５０】
骨折予防衣類５０の脱衣時は、ストレッチ帯２０のウエスト部２３ａ，２３ｂや背部２４を下げれば間口が広がるので脱衣が容易になる。
【００５１】
以上説明したように、本実施の形態によるストレッチ帯のＶ字クロス構造は、わき腹から下腹にかけて効果的に緊締力を生み、この緊締力は、従来のように腹部布を設けて各端を左右あるいは上下方向に引っ張る場合と比較して直接わき腹と下腹の両方に作用するので、従来よりも効果的に体型を補整することができる。
【００５２】
また、このＶ字クロス構造によるわき腹から下腹にかけての緊締力は、その延長方向である本体部の臀部方向に伝わるので、ヒップアップ効果も期待できる。さらに、このクロス構造により、腹部は多重になるため、当該部分の保温効果も向上する。
【００５３】
以上、本実施の形態によれば、着用者の転倒による骨折を予防すると共に、臀部側面にボリュームを与えることによって美尻効果を得ることができる。また、衣類のストレッチ帯によりわき腹から下腹にかけての膨出を抑えることができる。また、ストレッチ帯を下げれば、胴回りが広がるので骨折予防パッドを装着した状態でも着脱を容易に行うことができる。
【００５４】
本発明は上述した各実施の形態に限定されず、その要旨を逸脱しない範囲で種々変形して実施をすることができる。例えば、ストレッチ帯２０は、本体部３０への縫着のほか、本体部３０への貼り付け、あるいは本体部３０に接ぎ合わせて形成してもよい。また本体部３０、およびストレッチ帯２０は複数の生地を縫着して形成することもできる。
また、ストレッチ帯２０の上辺を折り曲げて、多重にして縫着することにより、緊締力をアップさせることもできる。
【００５５】
上述した実施の形態による骨折予防衣類は、スパッツやパンツの他、ガードル、タイツ、ストッキングといった各種の股付き衣類にも適用可能である。
【００５６】
（骨折予防パッドの他の実施例）
図１１、図１２に骨折予防パッドの他の実施例を示す。図１１は、ユーザの右側に着用される骨折予防パッド１ａの外形を示す図である。なお背面図は正面図と対象に表れる。図１２は、図１１に示す骨折予防パッドの断面図である。ユーザの左側に着用される骨折予防パッド１ｂは図１１と対象に表わされる。この骨折予防パッド１は、着用者の大転子位置に対応して配置される衝撃吸収部材１１を包む体型補整部材１２で形成されている。図１１において、上側体型補整部材１２ａと下側体型補整部材１２ｂとの境界に縫合ラインが表れている。
【００５７】
本実施例による骨折予防パッドによれば、大腿骨大転子を含む一定範囲は主に衝撃吸収部材１１による骨折予防効果を奏する。また、この衝撃吸収部材１１を包み、臀部方向へ延伸する体型補整部材１２によって全体として体型を補整する効果を奏する。特に臀部側にかけて下側体型補整部材１２ｂをドーム形状に緩やかに凹みを持たせることによりフィット感を高めることができる。
【符号の説明】
【００５８】
１，１ａ，１ｂ    骨折予防パッド
１０ａ    右端
１０ｂ    左端
１１    衝撃吸収部材
１１ａ    スリット
１１ｂ    中心範囲
１１ｃ    孔
１２    体型補整部材
１２ａ    上側体型補整部材
１２ｂ    下側体型補整部材
１３    角
２０    ストレッチ帯
２１ａ    右端
２１ｂ    左端
２２，２２ａ，２２ｂ    腹部（クロス部分）
２３ａ    右ウエスト部
２３ｂ    左ウエスト部
２４    背部
２５ａ，２５ｂ    頂点
３０    本体部
３１ａ，３１ｂ    ポケット
３２ａ，３２ｂ    ポケット口
３３ａ，３３ｂ    縫目
４０，５０    骨折予防衣類
４０ａ    衣類本体
４１ａ，４１ｂ    ポケット
４２    股部
８０ａ，８０ｂ    腸骨稜点
【図１】
2015223230.tif 000003
【図２】
2015223230.tif 000004
【図３】
2015223230.tif 000005
【図４】
2015223230.tif 000006
【図５】
2015223230.tif 000007
【図７】
2015223230.tif 000008
【図８】
2015223230.tif 000009
【図９】
2015223230.tif 000010
【図１０】
2015223230.tif 000011
【図１１】
2015223230.tif 000012
【図１２】
2015223230.tif 000013
【図６】
2015223230.tif 000014
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
一定の厚さを有する弾性材料で形成され着用時に大腿骨大転子位置付近に対応するように配置された衝撃吸収部材と、該衝撃吸収部材を内包し、着用時の臀部側面へ延在し、臀部の形状を補整する体型補整部材とを備えたことを特徴とする骨折予防パッド。
【請求項２】
前記衝撃吸収部材は、六角形以上の多角形、円形、もしくは楕円形であって、大転子位置を含む一定範囲を残して複数の放射状のスリットを有しており、前記衝撃吸収部材を包含する前記体型補整部材は、内向きに湾曲させて一体成型されていることを特徴とする請求項１に記載の骨折予防パッド。
【請求項３】
請求項１又は２の骨折予防パッドを有する衣類であって、前記骨折予防パッドの内向きに湾曲した面が人体側に向けて装着されていることを特徴とする骨折予防衣類。
【請求項４】
骨折予防衣類は、臀部と股を覆う本体部と、前記本体部上辺に沿って縫着された伸縮性を有するストレッチ帯とを備え、前記ストレッチ帯は、腹部においてクロスして前記本体部に縫着されていることを特徴とする請求項３に記載の骨折予防衣類。
【手続補正２】
【補正対象書類名】明細書
【補正対象項目名】０００７
【補正方法】変更
【補正の内容】
【０００７】
上記課題を解決するため、本発明に係る骨折予防パッドは、一定の厚さを有する弾性材料で形成され着用時に大腿骨大転子位置付近に対応するように配置された衝撃吸収部材と、該衝撃吸収部材を内包し、着用時の臀部側面へ延在し、臀部の形状を補整する体型補整部材とを備えたことを特徴とする。